(57)【特許請求の範囲】
【請求項１】
物干竿を保持する枝杆（５）が上端に付設されると共に平行に接近して立設される長身の第１杆（１）と短身の第２杆（２）とを備え、上記第１杆（１）が、下方の第１外筒（１ａ）と該第１外筒（１ａ）に上下動自在及び回動自在に挿入される上方の第１内筒（１ｂ）とから成り、上記第２杆（２）が、下方の第２外筒（２ａ）と該第２外筒（２ａ）に上下動自在に挿入される上方の第２内筒（２ｂ）とから成り、さらに、上記第１内筒（１ｂ）の上下動及び回動を停止する第１ロック部（４ａ）と、上記第２内筒（２ｂ）の上下動を停止する第２ロック部（４ｂ）とを、設け、上記第１杆（１）と上記第２杆（２）とを独立的に上下動自在に構成し、
上記第１ロック部（４ａ）と第２ロック部（４ｂ）とは一体状として１個のロック部材（４）をもって形成され、かつ、ロック部材（４）は、第１外筒（１ａ）上端及び第２外筒（２ａ）上端に橋絡状かつ外嵌状に固着する取付胴部（10）と、取付胴部（10）に連設される幅狭の首部（11）と、首部（11）に連設されて第１内筒（１ｂ）及び第２内筒（２ｂ）を締付乃至開放する締付頭部（12）と、を備え、さらに、該締付頭部（12）は、略Ｃ形の第１止め輪（14）と、略Ｃ形の第２止め輪（15）と、を有し、
かつ、上記ストレート状の第２内筒（２ｂ）の上端と上記枝杆（５）の基端が略直交状に交わる接続角部（Ｃ）に、ガイド部材（３）が配設され、さらに、該ガイド部材（３）は、上記ストレート状の第２内筒（２ｂ）の上端及び上記枝杆（５）の基端を略直交状に接続するエルボ部（20）と、第１内筒（１ｂ）を上下摺動可能にガイドするストレート部（21）とを、一体状に有することを特徴とする物干台。
【発明の詳細な説明】
【０００１】
【発明の属する技術分野】
本発明は、物干台に関する。
【０００２】
【従来の技術】
従来の物干台は、上端側が折り曲げられて物干竿を保持する枝杆が形成されている背丈の相違する２本の（ステンレス製の）長尺パイプが、平行に接近して基台に立設されていた。
【０００３】
【発明が解決しようとする課題】
しかしながら、従来の物干台では、枝杆はパイプに一体に形成されているため、枝杆の高さ・向きを変えることができず、物干台の設置場所、使用者の背丈、又は、干し物の種類等によっては、使いにくく、不便であった。
【０００４】
そこで、本発明は、背丈の相違する２本のパイプを独立的に伸縮させて、枝杆の高さ・向きを自在に調節することができる物干台を提供することを目的とする。
【０００５】
【課題を解決するための手段】
上述の目的を達成するために、本発明に係る物干台は、物干竿を保持する枝杆が上端に付設されると共に平行に接近して立設される長身の第１杆と短身の第２杆とを備え、上記第１杆が、下方の第１外筒と該第１外筒に上下動自在及び回動自在に挿入される上方の第１内筒とから成り、上記第２杆が、下方の第２外筒と該第２外筒に上下動自在に挿入される上方の第２内筒とから成り、さらに、上記第１内筒の上下動及び回動を停止する第１ロック部と、上記第２内筒の上下動を停止する第２ロック部とを、設け、上記第１杆と上記第２杆とを独立的に上下動自在に構成し、かつ、上記第１ロック部と第２ロック部とは一体状として１個のロック部材をもって形成され、かつ、ロック部材は、第１外筒上端及び第２外筒上端に橋絡状かつ外嵌状に固着する取付胴部と、取付胴部に連設される幅狭の首部と、首部に連設されて第１内筒及び第２内筒を締付乃至開放する締付頭部と、を有し、かつ、上記ストレート状の第２内筒の上端と上記枝杆の基端が略直交状に交わる接続角部に、ガイド部材が配設され、さらに、該ガイド部材は、上記ストレート状の第２内筒の上端及び上記枝杆の基端を略直交状に接続するエルボ部と、第１内筒を上下摺動可能にガイドするストレート部とを、一体状に有するものである。
【０００６】
【発明の実施の形態】
以下、実施の形態を示す図面に基づき、本発明を詳説する。
【０００７】
図１に、本発明に係る物干台の実施の一形態を示し、本物干台は、基台６と、基台６に平行に接近して立設される長身の第１杆１と短身の第２杆２と、を備えている。そして、この本物干台を一対前後に並設し、物干竿を懸架して使用する。
【０００８】
第１杆１及び第２杆２の上端には、夫々、物干竿を保持する枝杆５が付設されており、要するに、第１杆１の第１枝杆５ａが、第２杆２の第２枝杆５ｂよりも、上方に配設されている。なお、枝杆５には、物干竿を保持する略Ｕ字状の竿支持部材９が複数取り付けられている。また、枝杆５は、取付・取外自在であるため、使用目的に応じた枝杆５に、（例えば、長短自在に）交換自在となり、好都合となる。
【０００９】
第１杆１は、下方の第１外筒１ａと、第１外筒１ａに上下動自在及び回動自在に挿入される上方の第１内筒１ｂとから成っている。また、第２杆２は、下方の第２外筒２ａと、第２外筒２ａに上下動自在に挿入される上方の第２内筒２ｂとから成っている。
【００１０】
ここで、第１外筒１ａ、第１内筒１ｂ、第２外筒２ａ、第２内筒２ｂ、及び、枝杆５…は、夫々、寸切りのストレート状に形成されており、例えば、鋼製のパイプの外周面に（薄肉ステンレス等の）金属を被覆することで形成されている。従って、折れ曲がり部がないため、被覆層の皺の発生を防止することができ、さらに、上述のような薄肉ステンレス被覆鋼管の使用によって、製造コストを低減することができる。
【００１１】
そして、第１内筒１ｂの上下動及び回動を停止する第１ロック部４ａが、第１杆１側に設けられ、第２内筒２ｂの上下動を停止する第２ロック部４ｂが、第２杆２側に設けられている。
【００１２】
さらに、第１内筒１ｂを上下摺動可能にガイドするガイド部材３を、第２内筒２ｂと第２枝杆５ｂとの接続角部Ｃに固着している。
【００１３】
要するに、本発明は、第１杆１と第２杆２とを独立的に上下動自在（高さ変更自在）、及び、第１杆１をその軸心廻りに回転乃至停止（旋回変更自在）に構成されている。
【００１４】
具体的に述べると、図１に於て、第１内筒１ｂをその軸心廻りに回転させて、実線にて示す第１枝杆５ａを、仮想線にて示す第１枝杆５ａ側へ変動できる。即ち、第１枝杆５ａを、第２枝杆５ｂと同一方向又は反対方向へ切り換えることができ、干し物の種類又は天候条件等に応じて、自在に調整することができる。例えば、（シーツ、布団等の）大物を第１枝杆５ａに干す場合は、第１枝杆５ａを、第２枝杆５ｂと反対方向へ切り換え、第２枝杆５ｂの物干竿への干渉を防止することができる。また、雨の場合は、第１枝杆５ａを、第２枝杆５ｂと同一方向へ切り換え、両枝杆５ａ，５ｂを、屋根の内側へ、配設させることができ、干し物の濡れを防止することができる。
【００１５】
また、図１から図２に於て、第２内筒２ｂのみを上昇させて、第２枝杆５ｂを上方に配置することができる。即ち、使用者の背丈又は干し物の種類等に応じて自在に調整できる。例えば、使用者が長身の場合又は大物を干す場合は、図２に示すように、第２枝杆５ｂを高くすることができ、他方、使用者が短身の場合は、図１に示すように、第２枝杆５ｂを低くすることができる。
【００１６】
また、図２から図３に於て、第１内筒１ｂのみを下降させて、第１枝杆５ａを下方に配置することができる。即ち、使用者の背丈又は干し物の種類等に応じて自在に調整できる。例えば、使用者が短身の場合は、図３に示すように、第１枝杆５ａを低くすることができ、他方、使用者が長身の場合又は大物を干す場合は、図２に示すように、第１枝杆５ａを高くすることができる。
【００１７】
ここで、第１ロック部４ａと第２ロック部４ｂとは、共通の（樹脂製の）ロック部材４をもって形成され、ロック部材４は、第１外筒１ａ・第２外筒２ａの上端に橋絡状かつ外嵌状に固着されると共に、第１内筒１ｂ・第２内筒２ｂを締付乃至開放自在とするように構成されている。言い換えると、第１外筒１ａ及び第２外筒２ａを下方に配設し、かつ、第１外筒１ａ上端及び第２外筒２ａ上端の高さを一致させることで、ロック部材４を共用することができる。
【００１８】
ロック部材４は、図４の正面図、図５の平面図、図６の底面図に示すように、第１外筒１ａ上端及び第２外筒２ａ上端に橋絡状かつ外嵌状に固着する取付胴部10と、取付胴部10に連設される幅狭の首部11と、首部11に連設されて第１内筒１ｂ及び第２内筒２ｂを締付乃至開放する締付頭部12と、を備えている。
【００１９】
取付胴部10は、第１外筒１ａ及び第２外筒２ａを一体状に外嵌する眼鏡状の差込孔部10ａと、前面に突設されたねじ込み用ボス部10ｂ，10ｂとを有し、第１外筒１ａ及び第２外筒２ａに差込孔部10ａを嵌め込んで、（図６参照の）ビス13，13を、ねじ込み用ボス部10ｂ，10ｂに、セルフタッピングして、そのビス13，13によりロック部材４を第１外筒１ａ及び第２外筒２ａに固定する。
【００２０】
締付頭部12は、第１内筒１ｂを締め付ける（略Ｃ形の）第１止め輪14と、第２内筒２ｂを締め付ける（略Ｃ形の）第２止め輪15と、を有し、第１止め輪14と第２止め輪15とが背中合わせ（相互のスリット14ｂ，15ｂが反対に位置するように）に連設されている。
【００２１】
第１止め輪14は、第１内筒１ｂが挿通される締付孔部14ａと、締付孔部14ａから側外方へ設けられたスリット14ｂと、を有し、スリット14ｂの幅の拡大・縮小にて、締付孔部14ａが拡径・縮径する。そして、第１止め輪14は、（図５参照の）スリット14ｂを挿通するノブ付ボルト16と、ナット17との螺進退にて、スリット14ｂの幅を変えられ、ノブ付ボルト16の螺進により第１内筒１ｂを締め付け、ノブ付ボルト16の螺退により第１内筒１ｂを開放する。
【００２２】
第２止め輪15は、第２内筒２ｂが挿通される締付孔部15ａと、締付孔部15ａから側外方へ設けられたスリット15ｂと、を有し、スリット15ｂの幅の拡大・縮小にて、締付孔部15ａが拡径・縮径する。そして、第２止め輪15は、第１止め輪14と同様に、（図５参照の）スリット15ｂを挿通するノブ付ボルト16のナット17への螺進により第２内筒２ｂを締め付け、ノブ付ボルト16の螺退により第２内筒２ｂを開放する。
【００２３】
要するに、第１ロック部４ａは、第１止め輪14と、首部11及び取付胴部10の（一方の）半体等にて構成され、第２ロック部４ｂは、第２止め輪15と、首部11及び取付胴部10の（他方の）半体等にて構成されている。
【００２４】
なお、図５に示すように、締付頭部12は、その前壁が、後壁に比べて肉厚に形成されている。また、図６に示すように、締付孔部14ａ，15ａの円の中心が、差込孔部10ａの夫々の円の中心よりも、後方側（即ち、ねじ込み用ボス部10ｂと反対側）に偏心している。
【００２５】
上述のように構成されたロック部材４によれば、夫々のノブ付ボルト16，16の操作により、第１内筒１ｂと第２内筒２ｂとの締付・開放を独立して行うことができ、第１杆１の伸縮、第２杆２の伸縮、第１杆１の回転停止を独立して行うことができる。
【００２６】
ガイド部材３は、図７に示すように、第２内筒２ｂ及び第２枝杆５ｂを略直交状に接続角部Ｃにて接続するエルボ部20と、第１内筒１ｂを上下摺動及び回転摺動可能にガイドするストレート部21と、を連設一体状に有している。
【００２７】
エルボ部20は、第２内筒２ｂの上端に嵌め込まれる（有底状）差込凹部20ａと、第２枝杆５ｂの基端を取り付ける（有底状）取付凹部20ｂと、夫々の凹部20ａ，20ｂの外側面に突設されたねじ込み用ボス部20ｃ，20ｃと、を有し、図６と同様に、（図示省略の）ビスをねじ込み用ボス部20ｃ，20ｃにセルフタッピングして、ガイド部材３を第２内筒２ｂに固定すると共に、第２枝杆５ｂをガイド部材３に取り付ける。
【００２８】
要するに、ガイド部材３は、第２杆２に於ける第２内筒２ｂと第２枝杆５ｂとを接続する継手部と、第１杆１に於ける第１内筒１ｂの昇降及び回転を案内するガイド部と、を兼用する。
【００２９】
上述のように構成されたガイド部材３によれば、図１に示すように、第１枝杆５ａにかかる（物干竿及び干し物等の）重量による第１内筒１ｂの曲げ変形を、防止できる。即ち、ガイド部材３により、一本にて曲げ力を受け持つ第１内筒１ｂの長さを短くすることができる。もちろん、第２枝杆５ｂにかかる重量による第２内筒２ｂの曲げ変形をも防止する。
【００３０】
さらに、ガイド部材３により、第１枝杆５ａが、第２枝杆５ｂよりも下方に位置するのを防止できる。即ち、第１内筒１ｂと第１枝杆５ａとを略直交状に接続する接続部材７が、ガイド部材３に当接して、第１内筒１ｂの下降を防止する。また、ガイド部材３により、第２枝杆５ｂが、第２杆２の軸心廻りに回転するのを防止している。要するに、回転側を一方の第１杆１に限定でき、構造が簡単となり、かつ、使用が簡単となる。
【００３１】
また、ガイド部材３が、接続部材７とロック部材４との間に配設されているため、第１枝杆５ａ及び第２枝杆５ｂにかかる（物干竿及び洗濯物等の）重量による曲げ力が、ロック部材４にかかるのを防止できる。
【００３２】
接続部材７は、ガイド部材３のエルボ部20（図７参照）と同様の構成であり、図８に示すように、第１内筒１ｂの上端に嵌め込まれる（有底状）差込凹部７ａと、第１枝杆５ａの基端を取り付ける（有底状）取付凹部７ｂと、夫々の凹部７ａ，７ｂの外側面に突設されたねじ込み用ボス部７ｃ，７ｃと、を有し、（図示省略の）ビスをねじ込み用ボス部７ｃ，７ｃにセルフタッピングして、接続部材７を第１内筒１ｂに固定すると共に、第１枝杆５ａを接続部材７に取り付ける。
【００３３】
また、図１と図９に示すように、第１外筒１ａ下部及び第２外筒２ａ下部に、バンド部材８を、橋絡状かつ外嵌状に固着し、第１杆１及び第２杆２を一体状に構成し曲げ変形に強くなるようにしている。バンド部材８は、ロック部材４の取付胴部10（図６参照）と同様の構成であり、第１外筒１ａ及び第２外筒２ａを一体状に外嵌する眼鏡状の差込孔部８ａと、前面に突設されたねじ込み用ボス部８ｂ，８ｂとを有し、第１外筒１ａ及び第２外筒２ａに差込孔部８ａを嵌め込んで、（図示省略の）ビスを、ねじ込み用ボス部８ｂ，８ｂに、セルフタッピングして、バンド部材８を第１杆１及び第２杆２に固定する。
【００３４】
次に、図10と図11に、ロック部材４の他の実施の形態を示し、このロック部材４は、図４に示すロック部材４の取付胴部10のねじ込み用ボス部10ｂ，10ｂの代わりに、取付胴部10の下端前後に、幅狭の連結片30，30を介して、締付脚部31，31を連設している。
【００３５】
この前後の締付脚部31，31は、自由状態で相互に合体して、取付胴部10の差込孔部10ａと同一形状でかつ同一軸心上に配設される締付孔部31ａを形成する。また、締付脚部31の左右両端部には、ねじ込み用孔部31ｂ，31ｂが貫設され、両締付脚部31，31のねじ込み用孔部31ｂ，31ｂに、ビス13がセルフタッピングにて取り付けられる。即ち、両締付脚部31，31は、ビス13，13にて、連結される。
【００３６】
そして、ビス13，13の螺進退により、締付脚部31及び連結片30が弾性変形して、両締付脚部31，31を相互に接近乃至離間自在（言い換えると、締付孔部31ａを縮径乃至拡径自在）とできる。即ち、ビス13，13の螺進により、両締付脚部31，31を相互に接近させて（締付孔部31ａを縮径させて）第１外筒１ａ・第２外筒２ａを締め付け、ロック部材４が第１外筒１ａ・第２外筒２ａに固着される。このとき、両締付脚部31，31の締付孔部31ａの内周面全体で、第１外筒１ａ・第２外筒２ａを締め付けているため、第１外筒１ａ・第２外筒２ａの表面の締付による傷の発生を防止すると共に、ロック部材４が強固にかつ安定して取り付けられる。
【００３７】
なお、図11に示すように、両締付脚部31，31の締付孔部31ａと、取付胴部10の差込孔部10ａと、締付頭部12の締付孔部14ａ，15ａとは、同一軸心上に配設されている。また、図示省略するが、締付頭部12の前壁及び後壁は、同一の厚みに形成されている。
【００３８】
次に、図12に、バンド部材８の他の実施の形態を示し、このバンド部材８は、図11の締付脚部31，31と同様の構成であり、相互に合体して差込孔部８ａを形成する半体部33，33から成る。そして、半体部33の左右両端部に貫設されたねじ込み用孔部８ｃ，８ｃにセルフタッピングにてねじ込まれたビス13，13の螺進退により、両半体部33，33を相互に接近乃至離間自在（言い換えると、差込孔部８ａを縮径乃至拡径自在）とできる。即ち、ビス13，13の螺進により、両半体部33，33を相互に接近させて（差込孔部８ａを縮径させて）第１外筒１ａ・第２外筒２ａを締め付け、バンド部材８が第１外筒１ａ・第２外筒２ａに固着される。このとき、バンド部材８の差込孔部８ａの内周面全体で、第１外筒１ａ・第２外筒２ａを締め付けているため、第１外筒１ａ・第２外筒２ａの表面の締付による傷の発生を防止すると共に、バンド部材８が強固にかつ安定して取り付けられる。
【００３９】
さらに、図13に、バンド部材８の別の実施の形態を示し、このバンド部材８は、図９に示すバンド部材８と比較すると、差込孔部８ａから側外方へ連通状にスリット８ｄが設けられている点が相違する。さらに、そのスリット８ｄを形成する両端部には、ねじ込み用孔部８ｃ，８ｃが設けられ、そのねじ込み用孔部８ｃ，８ｃにセルフタッピングにてねじ込まれたビス13の螺進により、差込孔部８ａを縮径させて第１外筒１ａ・第２外筒２ａを締め付け、バンド部材８が第１外筒１ａ・第２外筒２ａに固着される。
【００４０】
なお、（図１の）竿支持部材９の枝杆５への取付構造は、図示省略するが、例えば、竿支持部材９の内部に挿入したタッピングビスを枝杆５に押し付ける構造としてもよく（図９参照）、若しくは、竿支持部材９の（内部と連設する）スリットをタッピングビスにて縮小して枝杆５を締め付ける構造としてもよい（図13参照）。
【００４１】
なお、ガイド部材３、ロック部材４、接続部材７、バンド部材８、竿支持部材９は、樹脂にて製造され、ビス13を容易にねじ込むことができると共に、大量生産と、コストダウンを図ることができる。
【００４２】
なお、本発明は上述の実施の形態に限定されず、本発明の要旨を逸脱しない範囲で設計変更可能である。例えば、図１では、第１杆１と第２杆２を左右に並設しているが、前後に並設するようにしてもよい。
【００４３】
【発明の効果】
本発明は上述の如く構成されるので、次に記載する効果を奏する。
【００４４】
（請求項１によれば、）第１杆１と第２杆２とを独立して上下動でき、かつ、第１杆１のみを回転停止できるため、枝杆５…の高さ・向きを自在に調節することができる。即ち、物干台の設置場所、使用者の背丈、又は、干し物の種類等に応じた、最適な使用が可能となる。
また、簡単な構成のロック部材４を共用して、第１杆１及び第２杆２の調節を行うことができ、部品数の減少とコストダウンを図ることができ、かつ、組立てが容易となる。
また、ガイド部材３は、第１枝杆５ａにかかる（物干竿及び干し物等の）重量による第１内筒１ｂの曲げ変形を、防止できる。さらに、第２枝杆５ｂにかかる重量による第２内筒２ｂの曲げ変形をも防止する。これにより、第１杆１及び第２杆２の曲げ強度を増大でき、頑丈なものとなる。また、ガイド部材３が接続とガイドとの役割を兼用でき、部品数の減少と、コストダウンを図ることができる。
【図面の簡単な説明】
【図１】  本発明の実施の一形態を示す正面図である。
【図２】  作用説明を兼ねた正面図である。
【図３】  作用説明を兼ねた正面図である。
【図４】  ロック部材の正面図である。
【図５】  ロック部材の平面図である。
【図６】  ロック部材の底面図である。
【図７】  ガイド部材の正面図である。
【図８】  接続部材の正面図である。
【図９】  バンド部材の平面図である。
【図10】  他のロック部材を示す正面図である。
【図11】  他のロック部材を示す底面図である。
【図12】  他のバンド部材を示す平面図である。
【図13】  別のバンド部材を示す平面図である。
【符号の説明】
１  第１杆
１ａ  第１外筒
１ｂ  第１内筒
２  第２杆
２ａ  第２外筒
２ｂ  第２内筒
３  ガイド部材
４  ロック部材
４ａ  第１ロック部
４ｂ  第２ロック部
５  枝杆
Ｃ  接続角部
【図１】
0004006265.tif 000002
【図２】
0004006265.tif 000003
【図３】
0004006265.tif 000004
【図４】
0004006265.tif 000005
【図５】
0004006265.tif 000006
【図６】
0004006265.tif 000007
【図７】
0004006265.tif 000008
【図８】
0004006265.tif 000009
【図９】
0004006265.tif 000010
【図１０】
0004006265.tif 000011
【図１１】
0004006265.tif 000012
【図１２】
0004006265.tif 000013
【図１３】
0004006265.tif 000014